(57)【特許請求の範囲】
【請求項１】
合成樹脂製の保持部材の上面に第１端子部を有する第１電極板を設けると共に、前記保持部材の下面に第２端子部を有する第２電極板を前記第１電極板に対向させて設け、前記第１、第２端子部を前記保持部材の側方に並べて延出させ、この延出した前記第１、第２端子部の各先端部を回路基板に取り付け、前記保持部材の下側には、ストッパ部材が前記保持部材に接近して配置されていることを特徴とするアンテナ装置。
【請求項２】
合成樹脂製の保持部材と、
前記保持部材の上面に設けた、第１端子部を有する第１電極板と、
この第１電極板に対向するように、前記保持部材の下面に設けた、第２端子部を有する第２電極板と、
前記第１、第２端子部を前記保持部材の側方に並べて延出させ、この延出した前記第１、第２端子部の各先端部が取り付けられた回路基板と、
前記保持部材の下側位置に、当該保持部材に接近して配置されているストッパ部材と、
を備えていることを特徴とするアンテナ装置。
【請求項３】
請求項１または請求項２に記載のアンテナ装置と、
このアンテナ装置が設けられた機器ケースと、
を備えていることを特徴とする電子機器。
【発明の詳細な説明】
【技術分野】
【０００１】
この発明は、電子腕時計などの携帯型の電子機器に用いられるアンテナ装置及び電子機器に関する。
【背景技術】
【０００２】
例えば、電子腕時計においては、アンテナ装置を内蔵した電波時計がある。この種の電子腕時計は、特許文献１に記載されているように、合成樹脂製の腕時計ケースの外周部にバンド取付部を外側に突出させて設け、この突出したバンド取付部に対応する腕時計ケースの内周部にアンテナ収納部を設け、このアンテナ収納部内にアンテナ装置を収納し、この状態でアンテナ装置を腕時計ケース内の回路基板に接続線によって電気的に接続するように構成されている。この場合、アンテナ装置は、バーアンテナであり、コアの外周にコイルを巻き付けた構成になっている。
【特許文献１】特開２００２−９８７８０号
【発明の開示】
【発明が解決しようとする課題】
【０００３】
しかしながら、このような従来のアンテナ装置では、コアの外周にコイルを巻き付けた構成であるから、波長の長い電波を受信する場合に有効であっても、波長の短い電波、例えば高周波の電波を受信することは難しく、このため人口衛星などからの波長の短い電波を受信して居場所を特定するＧＰＳ用としては不向きであるばかりか、アンテナ装置をアンテナ収納部に収納した状態で回路基板に接続線によって接続しなければならないため、その取付作業および接続作業が面倒であるという問題がある。
【０００４】
この発明が解決しようとする課題は、取付作業および接続作業が簡単で容易にでき、且つ所定波長の電波を感度良く受信することができるアンテナ装置及び電子機器を提供することである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図１７に示すように、合成樹脂製の保持部材（１７）の上面（１７ａ）に第１端子部（２５）を有する第１電極板（１８）を設けると共に、前記保持部材の下面（１７ｂ）に第２端子部（２８）を有する第２電極板（１９）を前記第１電極板に対向させて設け、前記第１、第２端子部を前記保持部材の側方に並べて延出させ、この延出した前記第１、第２端子部の各先端部を回路基板（１４）に取り付け、前記保持部材（１７）の下側に、ストッパ部材（３０）が前記保持部材に接近して配置されていることを特徴とするアンテナ装置である。
【０００７】
請求項２に記載の発明は、図１〜図１７に示すように、
合成樹脂製の保持部材（１７）と、
前記保持部材（１７）の上面（１７ａ）に設けた、第１端子部（２５）を有する第１電極板（１８）と、
この第１電極板（１８）に対向するように、前記保持部材の下面（１７ｂ）に設けた、第２端子部（２８）を有する第２電極板（１９）と、
前記第１、第２端子部（２５、２８）を前記保持部材（１７）の側方に並べて延出させ、この延出した前記第１、第２端子部（２５、２８）の各先端部が取り付けられた回路基板（１４）と、
前記保持部材（１７）の下側位置に、当該保持部材（１７）に接近して配置されているストッパ部材（３０）と、
を備えていることを特徴とするアンテナ装置である。
【０００８】
請求項３に記載の発明は、図１〜図１７に示すように、
請求項１または請求項２に記載のアンテナ装置（５）と、
このアンテナ装置が設けられた機器ケース（１）と、
を備えていることを特徴とする電子機器である。
【発明の効果】
【００１２】
請求項１または請求項２に記載の発明によれば、合成樹脂製の保持部材の上面に第１端子部を有する第１電極板を設けると共に、保持部材の下面に第２端子部を有する第２電極板を設け、この第２電極板を第１電極板に対向させて設けたので、第１電極板と第２電極板とを保持部材によって所定間隔で対向させることができ、これにより所定波長（例えば、短い波長）電波を感度良く受信することができる。このため、人工衛星などからの電波を確実に受信することができ、居場所を特定するＧＰＳ用のアンテナなどとして良好に使用することができる。
【００１３】
また、請求項１または請求項２に記載の発明によれば、第１、第２端子部を保持部材の側方に並べて延出させ、この延出した第１、第２端子部の各先端部を回路基板に取り付けているので、第１、第２端子部を回路基板に直接取り付けて電気的に接続することができ、これにより取付作業および接続作業が簡単で容易にできる。この場合、第１、第２端子部を所定角度に折り曲げることにより、保持部材の設置位置を調節することができると共に、保持部材の上面に設けられた第１電極板の向きを調節することができ、これにより最適な受信状態で設置することができるので、受信感度を確保することができる。
【００１４】
また、請求項１または請求項２に記載の発明によれば、保持部材の下側にストッパ部材が保持部材に接近して配置されていることにより、外部から衝撃を受けて保持部材が位置ずれを起こしても、ストッパ部材によって保持部材の位置ずれを抑制することができ、これにより常に保持部材および第１電極板を所定位置に配置することができるので、安定した受信感度を確保することができる。
【００１５】
請求項３に記載の発明によれば、請求項１または請求項２に記載のアンテナ装置が設けられた機器ケースを備えている電子機器を提供することができる。
【発明を実施するための最良の形態】
【００２０】
（実施形態１）
以下、図１〜図１４を参照して、この発明のアンテナ装置を電子腕時計に適用した実施形態１について説明する。
図１はこの発明を適用した電子腕時計の拡大正面図、図２はそのＡ−Ａ矢視における要部の拡大断面図、図３は図２のアンテナ装置を示した拡大斜視図である。
この電子腕時計は、図１および図２に示すように、合成樹脂製の腕時計ケース１を備えている。
【００２１】
この腕時計ケース１は、１２時側と６時側との外周部にバンド取付部２がそれぞれ設けられ、このバンド取付部２に時計バンド（図示せず）が取り付けられ、この時計バンドによって腕に着脱可能に取り付けられるように構成されている。また、この腕時計ケース１の上部には、図２に示すように、時計ガラス３が取り付けられており、この腕時計ケース１の内部には、時計モジュール４およびＧＰＳ用（グローバル・ポジショニング・システム用）のアンテナ装置５が収納されている。さらに、この腕時計ケース１の下面には、裏蓋６が防水リング６ａを介して取り付けられている。
【００２２】
この場合、腕時計ケース１は、図２に示すように、ＡＢＳ樹脂などの硬質の合成樹脂からなるケース本体７と、このケース本体７の外周面に設けられたウレタン樹脂などの軟質の合成樹脂からなる第１ベゼル８と、ケース本体７の上部外周に設けられた装飾用の第２ベゼル９とで構成されている。また、時計モジュール４は、時計機能およびＧＰＳ機能に必要な各種の電子部品を備え、時刻情報を表示するほか、受信した電波情報に基づいてＧＰＳ情報をも表示するように構成されている。
【００２３】
すなわち、時計モジュール４は、図２に示すように、上部ハウジング１０と下部ハウジング１１とを備えている。この上部ハウジング１０には表示パネル１２およびバックライトパネル１３が設けられており、この上部ハウジング１０と下部ハウジング１１との間には回路基板１４が配置されている。また、上部ハウジング１０と下部ハウジング１１とは、下部ハウジング１１の下面に配置された地板１５によって回路基板１４を挟んで相互に取り付けられている。この状態で、時計モジュール４は、腕時計ケース１内に組み込まれている。
【００２４】
ＧＰＳ用のアンテナ装置５は、図２に示すように、時計モジュール４の回路基板１４に取り付けられ、この状態で１２時側のバンド取付部２に対応する腕時計ケース１の内周部に設けられたアンテナ収納部１６内に収納されている。すなわち、このアンテナ装置５は、図３〜図９に示すように、ＡＢＳ樹脂などの合成樹脂製の誘電体からなるほぼ三角柱の箱状の保持部材１７と、この保持部材１７の上面１７ａ側に設けられた第１電極板１８と、これに対向する保持部材１７の下面１７ｂ側に設けられた第２電極板１９とを備え、これら全体がチップ形状に形成された構成になっている。
【００２５】
この場合、保持部材１７は、図６および図７に示すように、断面形状がほぼ直角三角形で、全体がほぼ三角柱の箱状に形成され、その直角部に対向する上面１７ａ側が下面１７ｂ側に対して傾斜する傾斜面に形成されている。また、この保持部材１７は、図５に示すように、その両端部がほぼ三角形状に切欠され、これにより後部（図５では下辺部）が長く、前部（同図では上辺部）が短く形成され、上方から見て全体がほぼ台形状に形成されている。
【００２６】
この保持部材１７の内部には、図６および図７に示すように、空洞部２０が上下に貫通して形成されていると共に、この内部における中間部には、空洞部２０を左右に仕切る隔壁２１が空洞部２０の貫通方向に沿って設けられている。この隔壁２１は、図７（ａ）および図７（ｂ）に示すように、その上端面２１ａが保持部材１７の上面１７ａと同一平面内に位置し、この上端面２１ａに第１電極板１８の中間部分が支持され、また下端面２１ｂが保持部材１７の下面１７ｂと同一平面内に位置し、この下端面２１ｂに第２電極板１９の中間部分が支持されるように構成されている。
【００２７】
また、この保持部材１７の上面１７ａにおける前後部（図３では左右部）には、図３および図７（ａ）に示すように、保護突起部２２が第１電極板１８の上方に突出して設けられている。また、この保持部材１７の下面１７ｂにおける所定箇所、つまり図７（ｂ）に示すように、下面１７ｂの後部両側（同図では上辺部の両側）および前側中間部（同図では下辺の中間部）の３箇所には、第２電極板１９を溶着によって固定するための溶着ボス２３がそれぞれ設けられており、この下面１７ｂにおける後部の右側には、図４および図７（ｂ）に示すように、端子固定部２４が設けられている。
【００２８】
第１電極板１８は、アンテナ電極であり、厚みが０．２ｍｍ程度の銅などの薄い金属箔からなり、図３、図５、および図８に示すように、保持部材１７の上面１７ａとほぼ同じ大きさの台形状に形成されていると共に、スリット１８ａによって全体が渦巻形状に形成され、この状態で図３、図５、および図６に示すように第１電極部１８の前後の縁部が保持部材１７の上面１７ａにインサート成形によって埋め込まれた状態で固定されている。また、この第１電極板１８の後部側（図８では上辺側）の端部には、図８に示すように、第１端子部２５が一体に形成されている。
【００２９】
この第１端子部２５は、アンテナ端子２５ａとグランド端子２５ｂとからなり、図３、図４、および図５に示すように、それぞれ保持部材１７の上面１７ａから保持部材１７の後部の壁中を通して保持部材１７の下面１７ｂの端子固定部２４に導かれ、この導かれたアンテナ端子２５ａとグランド端子２５ｂとの各先端部が端子固定部２４から後方（図４では上辺側）に向けて並んで延出されている。この場合、アンテナ端子２５ａとグランド端子２５ｂとは、第１電極板１８で受信した電波によって発生する電流が交流であることにより、第１電極板１８のほぼ同じ箇所に接近して設けられ、その両者の間隔でインピーダンスを調整するように構成されている。また、このアンテナ端子２５ａとグランド端子２５ｂとの各先端部には、ビス孔２６がそれぞれ設けられている。
【００３０】
第２電極板１９は、グランド電極であり、第１電極板１８と同様、厚みが０．２ｍｍ程度の銅などの薄い金属箔からなり、図４および図９に示すように、保持部材１７の下面１７ｂとほぼ同じ大きさの台形状に形成されていると共に、その所定箇所に複数の取付孔２７が保持部材１７の下面１７ｂに設けられた複数の溶着ボス２３に対応して設けられ、この複数の取付孔２７に保持部材１７の各溶着ボス２３が挿入して溶融されることにより、この溶融した溶着ボス２３によって保持部材１７の下面１７ｂに固定されている。
【００３１】
また、この第２電極板１９の後端部におけるほぼ中間部分は、図４および図９に示すように、第２端子部２８が一体に形成されている。この第２端子部２８は、グランド端子であり、幅広の板状に形成され、図４に示すように、保持部材１７の下面１７ｂにおける後端部（図４では上辺部）から後方に向けて延出されている。この場合、第２端子部２８には、複数のビス孔２８ａと複数のボス孔２８ｂとが設けられている。また、第１電極板１８の第１端子部２５と第２電極板１９の第２端子部２８とは、図３および図４に示すように、保持部材１７の下面１７ｂにおいて後方（図３では左側）に向けてそれぞれ並んで延出されている。
【００３２】
そして、このアンテナ装置５は、図２、図１０、および図１１に示すように、第１、第２端子部２５、２８が所定角度θ１に折り曲げられて時計モジュール４内の回路基板１４の各接続端子１４ａ、１４ｂに電気的に接続された状態で取り付けられている。すなわち、第１、第２端子部２５、２８は、図１４に示すように、保持部材１７の下面１７ｂと同一平面に沿って後方（図１４では左上）に向けて延出されているが、アンテナ装置５を回路基板１４に取り付けるときに、図６（ａ）に示すように、所定角度θ１で折り曲げることにより、アンテナ収納部１６内の所定位置、つまり図２に示すように、保持部材１７の傾斜した上面１７ａに設けられた第１電極板１８が腕時計ケース１の外面とほぼ平行に配置されると共に、アンテナ収納部１６内に浮いた状態で配置されるように構成されている。
【００３３】
この場合、第１、第２端子部２５、２８のうち、第１端子部２５のアンテナ端子２５ａとグランド端子２５ｂとは、図１１および図１２に示すように、ビス２９によって回路基板１４の接続端子１４ａと接続端子１４ｂとにそれぞれ固定されている。また、第２端子部２８は、複数のボス孔２８ｂに回路基板１４のボス２９ａが挿入して位置決めされ、この状態で複数のビス孔２８ａがビス２９によって回路基板１４の接続端子１４ｂに取り付けられている。
【００３４】
従って、このアンテナ装置５は、時計モジュール４を腕時計ケース１内に組み込むときに、これと同時にバンド取付部２に対応する腕時計ケース１の内周部に設けられたアンテナ収納部１６内に浮いた状態で収納されるように構成されている。この場合、アンテナ装置５の下側に位置する裏蓋６の上面には、図２および図１３に示すように、ストッパ部材３０が接着剤３０ａによって設けられている。このストッパ部材３０は、緩衝部材からなり、アンテナ装置５の下面に接近して配置され、腕時計ケース１が外部から衝撃を受けたときに、その衝撃によってアンテナ装置５が上下方向に位置ずれしないように構成されている。
【００３５】
このように、この電子腕時計のアンテナ装置５によれば、空洞部２０が上下に貫通して設けられた保持部材１７の上面１７ａ側に第１端子部２５を有する渦巻状の第１電極板１８を設けると共に、保持部材１７の上面１７ａ側に対向する保持部材１７の下面１７ｂ側に第２端子部２８を有する平板状の第２電極板１９を設けているので、保持部材１７によって第１電極板１８と第２電極板１９とを接触させることなく所定間隔を置いて対向させることができる。これにより、所定波長（例えば、短い波長）の電波を受信することができると共に、保持部材１７に設けられた空洞部２０によって誘電率の低い空気空間を第１、第２電極板１８、１９間に設けることができるので、所定波長（例えば、短い波長）の電波を感度良く受信することができる。
【００３６】
この場合、特に第１電極板１８は渦巻状に形成されていることにより、第１電極板１８の設置面積が狭くても、第１電極板１８の全長を十分に長くすることができ、このため保持部材１７を小さく形成しても、周波数の調整ができ、受信感度を高めることができる。これにより、波長の短い電波、例えば高周波の電波を受信できるので、人工衛星などからの電波を確実に受信することができ、居場所を特定するＧＰＳ用のアンテナとして良好に使用することができるほか、特に従来例のようにコアにコイルを巻き付けた構成のアンテナ装置に比べて、その製作が簡単で重量も軽く、波長の短い電波を感度良く受信することができる。
【００３７】
また、第１電極板１８が設けられた保持部材１７の上面１７ａ側が、これに対向する保持部材１７の下面１７ｂ側に対して傾斜していることにより、第１電極板１８の設置面積を広くすることができ、これによっても受信感度を高めることができるほか、特に腕時計ケース１内に組み込むときに、保持部材１７の傾斜した上面１７ａ側に設けられた第１電極板１８を腕時計ケース１の外部に向けやすくことができ、これにより電波受信の指向性を高めることができるので、より一層、受信感度を高めることができる。
【００３８】
また、保持部材１７の内部に空洞部２０を左右に仕切る隔壁２１が設けられ、この隔壁２１の上端面２１ａが保持部材１７の上面１７ａと同一平面内に位置し、また下端面２１ｂが保持部材１７の下面１７ｂと同一平面内に位置しているので、この隔壁２１上端面２１ａと下端面２１ｂとによって第１、第２電極板１８、１９の中間部分を保持することができ、これにより第１、第２電極板１８、１９を銅などの薄い金属板で形成しても、第１、第２電極板１８、１９を安定した状態で保持部材１７に固定することができるので、安定した受信性能を確保することができる。
【００３９】
この場合、特に第１電極板１８が渦巻状に形成されて変形しやすいが、この渦巻状に形成された第１電極板１８の中間部分を隔壁２１の上端面２１ａによって保持することができるので、第１電極板１８が変形しやすい渦巻状に形成されていても、第１電極板１８の変形を防ぐことができると共に、第１電極板１８を安定した状態で確実に且つ良好に保持部材１７に固定することができる。
【００４０】
また、図４に示すように、保持部材１７の上面１７ａおよび下面１７ｂのうち、少なくとも下面１７ｂに第２電極板１９を溶着により固定する溶着ボス２３が設けられていることにより、保持部材１７の下面１７ｂに第２電極板１９を配置し、この状態で溶着ボス２３によって第２電極板１９を保持部材１７の下面１７ｂに確実に且つ強固に固定することができ、これにより第２電極板１９を安定した受信状態に保つことができるので、これによっても安定した受信性能を確保することができる。
【００４１】
さらに、図３および図４に示すように、第１電極板１８の第１端子部２５と第２電極板１９の第２端子部２８が保持部材１７の下面１７ｂにおける後方にそれぞれ並んで延出されていることにより、第１、第２端子部２５、２８を一箇所に集中させて配置することができ、この延出した第１、第２端子部２５、２８の各先端部を回路基板１４に取り付けているので、第１、第２端子部２５、２８を回路基板１４に直接取り付けて電気的に接続することができ、これにより取付作業および接続作業が簡単で容易にできる。
【００４２】
この場合、第１、第２端子部２５、２８を所定角度θ１に折り曲げることにより、保持部材１７の設置位置を調節することができると共に、保持部材１７の上面１７ａに設けられた第１電極板１８の向きを調節することができ、これによりアンテナ装置５を最適な受信状態に設置することができるので、受信感度を確保することができる。
【００４３】
また、アンテナ装置５は、腕時計ケース１の内周部に設けられたアンテナ収納部１６内に浮いた状態で配置されているので、アンテナ装置５の周囲に誘電率の最も低い空気空間を設けることができ、これによってもアンテナ装置５の受信精度を向上させることができると共に、アンテナ装置５がアンテナ収納部１６内に浮いていることにより、外部からの衝撃が直接アンテナ装置５に加わることがないので、耐衝撃性の高いものを得ることができる。
【００４４】
また、アンテナ装置５の下側に対応する箇所の裏蓋５には、ストッパ部材３０が配置されているので、腕時計ケース１が外部から衝撃を受けたときに、その衝撃によってアンテナ装置５が上下方向に位置ずれを起こしても、アンテナ装置５がストッパ部材３０に当接することにより、アンテナ装置５の上下方向への位置ずれを抑制することができ、これによりアンテナ装置５を常に所定位置に位置規制することができるので、これによっても安定した受信性能を維持することができる。
【００４５】
特に、このアンテナ装置５は、図１に示すように、１２時側のバンド取付部２に位置する腕時計ケース１の内周部に形成されたアンテナ収納部１６内に収納されているので、受信性能に影響を及ぼす電子部品や金属部品からアンテナ装置５を十分に離すことができると共に、腕時計ケース１を腕に取り付けて時計モジュール４の表示を見るときに、アンテナ装置５を使用者の身体（図１中の６時側のバンド取付部２の方向）と反対側（図１中の上側）に位置させることができるので、アンテナ装置５が使用者の身体による影響を受けにくくすることができ、このため６時側に設けた場合に比べて、受信性能を高めることができる。
【００４６】
（実施形態２）
次に、図１５〜図１７を参照して、この発明のアンテナ装置を電子腕時計に適用した実施形態２について説明する。なお、図１〜図１４に示された実施形態１と同一部分には同一符号を付して説明する。
この電子腕時計のアンテナ装置３５は、図１５に示すように、保持部材１７の上面１７ａに第１電極板１８を溶着ボス３６によって第２電極板１９と同様に固定した構成で、これ以外は実施形態１とほぼ同じ構成になっている。
【００４７】
すなわち、この保持部材１７の上面１７ａにおける所定箇所、つまり図１６に示すように、上面１７ａの後部両側（同図では左上辺部の両側）および前側中間部（同図では右下辺部の中間部）には、溶着ボス３６がそれぞれ設けられている。また、第１電極板１８の所定箇所には、保持部材１７の各溶着ボス３６が挿入する取付孔３７がそれぞれ設けられており、この第１電極板１８の後端部（図１６では左上辺の一端部）にも、第１端子部２５が設けられている。この第１端子部２５も、実施形態１と同様、アンテナ端子２５ａとグランド端子２５ｂとからなり、第１電極板１８の端部からほぼＬ状に屈曲形成された構成になっている。
【００４８】
そして、この第１電極板１８は、図１６に示すように、保持部材１７の上面１７ａに上方から配置するときに、図１７に示すように、各取付孔３７に保持部材１７の各溶着ボス３６を挿入させ、この状態で図１５に示すように溶着ボス３６を溶融させることにより、保持部材１７の上面１７ａに固定されるように構成されている。この場合、第１電極板１８の第１端子部２５は、保持部材１７の上面１７ａにおける後端部（図１５では左上辺部）から後部（同図では左側）の外面に沿って垂下されて、この垂下された先端部が実施形態１と同様に保持部材１７の下面１７ｂにおける後方に向けて延出されている。
【００４９】
このようなアンテナ装置３５においても、保持部材１７の上面１７ａに第１電極板１８を溶着ボス３６によって確実に且つ強固に固定することができるので、実施形態１と同様、第１電極板１８を安定した受信状態に保つことができ、これによっても安定した受信性能を確保することができる。この場合にも、実施形態１と同様、第１端子部２５が保持部材１７の下面１７ｂに取り付けられた第２電極板１９の第２端子部２８と共に保持部材１７の下面１７ｂにおける後方に向けて並んで延出されているので、第１、第２端子部２５、２８を時計モジュール４の回路基板１４に直接取り付けて電気的に接続することができ、これにより取付作業および接続作業が簡単で容易にできる。
【００５０】
（実施形態３）
次に、図１８および図１９を参照して、この発明のアンテナ装置を電子腕時計に適用した実施形態３について説明する。この場合にも、図１〜図１４に示された実施形態１と同一部分に同一符号を付して説明する。
この電子腕時計のアンテナ装置４０は、図１８に示すように、時計モジュール４の回路基板１４上に第２電極板４１を設け、この第２電極板４１上に保持部材１７を設けた構成で、これ以外は実施形態１とほぼ同じ構成になっている。
【００５１】
すなわち、時計モジュール４の回路基板１４は、図１８に示すように、時計モジュール４から側方に突出するアンテナ搭載部４２が設けられ、このアンテナ搭載部４２が１２時側のバンド取付部２に対応する箇所の腕時計ケース１の内周部に設けられたアンテナ収納部１６内に挿入するように構成されている。この回路基板１４のアンテナ搭載部４２の上面には、第２電極板４１が銅などの金属箔によってパターン形成されている。この第２電極板４１に対応する回路基板１４のアンテナ搭載部４２上には、保持部材１７が固定されている。
【００５２】
この保持部材１７は、実施形態１と同様に構成されており、この保持部材１７の上面１７ａには、実施形態１と同様、第１電極板１８が固定されている。この場合にも、第１電極板１８の第１端子部２５は、保持部材１７の上面１７ａにおける後端部（図１８では左端部）から後部（同図では右側）の外面に沿って垂下され、この垂下された先端部が実施形態１と同様に保持部材１７の下面１７ｂにおける後方に向けて延出され、この延出した先端部が図１９に示すように回路基板１４の接続端子１４ａ、１４ｂに半田などで電気的に接続されて取り付けられている。
【００５３】
このような電子腕時計のアンテナ装置４０によれば、合成樹脂製の保持部材１７の上面１７ａに第１端子部２５を有する第１電極板１８を設けると共に、回路基板１４のアンテナ搭載部４２に第１電極板１８と対向する第２電極板４１を設け、保持部材１７の下面１７ｂを回路基板１４のアンテナ搭載部４２の第２電極板４１に対応させた状態で、保持部材１７を回路基板１４のアンテナ搭載部４２に取り付けているので、実施形態１と同様、第１電極板１８と第２電極板４１とを保持部材１７によって所定間隔を置いて対向させることができ、これにより波長の短い電波を効果的に受信することができるので、人工衛星などからの電波を確実に受信することができ、居場所を特定するＧＰＳ用のアンテナとして良好に使用することができる。
【００５４】
この場合、第２電極板４１が回路基板１４のアンテナ搭載部４２に設けられているので、第２電極板４１を別部材として形成する必要がなく、回路基板１４の接続端子１４ａ、１４ｂなどの各種の接続配線をパターン形成するときに、この接続配線と同時に回路基板１４のアンテナ搭載部４２に第２電極板４１を形成することができ、これにより製造の簡素化を図ることができる。また、保持部材１７を第２電極板４１と対応する回路基板１４のアンテナ搭載部４２上に配置して第１電極板１８の第１端子部２５を回路基板１４の接続端子１４ａ、１４ｂに接触させて半田で固定するだけで、第１電極板１８と回路基板１４とを電気的に接続することができるので、その取付作業および接続作業が簡単で容易にできる。
【００５５】
（実施形態４）
次に、図２０を参照して、この発明のアンテナ装置を電子腕時計に適用した実施形態４について説明する。この場合には、図１８および図１９に示された実施形態３と同一部分に同一符号を付して説明する。
この電子腕時計のアンテナ装置４５は、図２０に示すように、時計モジュール４の回路基板１４の側方に突出したアンテナ搭載部４２上に第２電極板４１を設け、この第２電極板４１上に保持部材１７を設けると共に、第１電極板１８の第１端子部２５を回路基板１４の下面に延出させて固定した構成で、これ以外は実施形態３とほぼ同じ構成になっている。
【００５６】
すなわち、回路基板１４のアンテナ搭載部４２には、図２０に示すように、第１端子部２５が挿入する貫通孔４６が設けられ、この貫通孔４６を通して第１端子部２５が回路基板１４の下面に延出している。また、回路基板１４のアンテナ搭載部４２の上面には、第２電極板４１が設けられており、この回路基板１４の下面には、図１９に示した実施形態３と同様、接続端子１４ａ、１４ｂが設けられている。この場合、第１電極板１８の第１端子部２５は、回路基板１４の下面に設けられた接続端子１４ａ、１４ｂに半田などで接続されている。また、第２電極板４１は、回路基板１４に設けられたスルーホール４７を介して回路基板１４の上面から下面に導かれてグランド用の接続端子１４ｂに接続されている。
【００５７】
このようなアンテナ装置４５においても、実施形態３と同様の作用効果があるほか、特に第２電極板４１が回路基板１４のアンテナ搭載部４２の上面に設けられて回路基板１４のスルーホール４７を介して回路基板１４の下面に設けられた接続端子１４ａ、１４ｂなどの各種の接続配線と電気的に接続され、第１電極板１８の第１端子部２５が回路基板１４に設けられた貫通孔４６を通して回路基板１４の下面の接続端子１４ａ、１４ｂと電気的に接続されているので、第２電極板４１および接続端子１４ａ、１４ｂを回路基板１４の上下両面に設けることができ、これにより回路基板１４の高密度実装を図ることができる。
【００５８】
（実施形態５）
次に、図２１を参照して、この発明のアンテナ装置を電子腕時計に適用した実施形態５について説明する。この場合にも、図１８および図１９に示された実施形態３と同一部分に同一符号を付して説明する。
この電子腕時計のアンテナ装置５０は、図２１に示すように、時計モジュール４の回路基板１４の側方に突出したアンテナ搭載部４２の下面に第２電極板５１を設け、この第２電極板５１に対応するアンテナ搭載部４２の上面に保持部材１７を設けると共に、第１電極板１８の第１端子部２５を回路基板１４の下面に延出させて固定した構成で、これ以外は実施形態３とほぼ同じ構成になっている。
【００５９】
すなわち、回路基板１４のアンテナ搭載部４２の下面には、図２１に示すように、第２電極板５１がパターン形成され、この第２電極板５１に対応する回路基板１４のアンテナ搭載部４２の上面には、保持部材１７が固定されている。この保持部材１７の上面１７ａに設けられた第１電極板１８の第１端子部２５は、実施形態４と同様、回路基板１４のアンテナ搭載部４２の貫通孔４６を通して回路基板１４の下面に図１９に示された実施形態３と同様に設けられた接続端子１４ａ、１４ｂに半田などで接続されている。
【００６０】
このようなアンテナ装置５０においても、実施形態３、４と同様の作用効果があるほか、特に第２電極板５１が回路基板１４のアンテナ搭載部４２の下面に設けられていると共に、この回路基板１４の下面に設けられたグランド用の接続端子１４ｂと電気的に接続され、第１電極板１８の第１端子部２５が回路基板１４に設けられた貫通孔４６を通して回路基板１４の下面の接続端子１４ａ、１４ｂと電気的に接続されているので、第１電極板１８と第２電極板５１とを保持部材１７と回路基板１４との両者によって所定間隔で対向させることができ、これにより保持部材１７を回路基板１４の厚みだけ薄く形成することができるので、アンテナ装置５０のコンパクト化を図ることができる。
【００６１】
なお、上記実施形態１〜５では、電子腕時計に適用した場合について述べたが、必ずしも電子腕時計である必要はなく、トラベルウオッチ、目覚まし時計、置き時計、掛け時計などの各種の時計に適用することができるほか、携帯電話機やＰＤＡ（携帯情報端末機）などの各種の電子機器にも広く適用することができる。
【図面の簡単な説明】
【００６２】
【図１】この発明を適用した電子腕時計の拡大正面図である。（実施形態１）
【図２】図１のＡ−Ａ矢視における要部の拡大断面図である。
【図３】図２のアンテナ装置を示した拡大斜視図である。
【図４】図３のアンテナ装置を下面側から見た拡大斜視図である。
【図５】図３のアンテナ装置を示した拡大平面図である。
【図６】図５のアンテナ装置の断面を示し、（ａ）は図５のＢ−Ｂ矢視における断面図、（ｂ）は図５のＣ−Ｃ矢視における断面図である。
【図７】図３のアンテナ装置の保持部材を示し、（ａ）は保持部材を上面側から見た斜視図、（ｂ）は保持部材を下面側から見た斜視図である。
【図８】図３の第１電極板を示した斜視図である。
【図９】図４の第２電極板を示した斜視図である。
【図１０】図３のアンテナ装置を時計モジュールに取り付けた状態の斜視図である。
【図１１】図１０を下面側から見た斜視図である。
【図１２】図１０におけるアンテナ装置と回路基板との接続状態を示した拡大平面図である。
【図１３】図２の裏蓋を示した斜視図である。
【図１４】図１２においてアンテナ装置を回路基板に取り付ける前の状態を示したアンテナ装置の断面図である。
【図１５】この発明のアンテナ装置を示した拡大斜視図である。（実施形態２）
【図１６】図１５の保持部材に第１電極板を取り付ける状態を示した分解斜視図である。
【図１７】図１６の第１電極板の取付孔に保持部材の上面に設けられた溶着ボスを挿入した状態の斜視図である。
【図１８】この発明を適用した電子腕時計の時計モジュールにアンテナ装置を取り付けた状態を示した要部の拡大断面図である。（実施形態３）
【図１９】図１８におけるアンテナ装置と回路基板との接続状態を示した拡大平面図である。
【図２０】この発明を適用した電子腕時計の時計モジュールにアンテナ装置を取り付けた状態を示した要部の拡大断面図である。（実施形態４）
【図２１】この発明を適用した電子腕時計の時計モジュールにアンテナ装置を取り付けた状態を示した要部の拡大断面図である。（実施形態５）
【符号の説明】
【００６３】
１  腕時計ケース
２  バンド取付部
３  時計ガラス
４  時計モジュール
５、３５、４０、４５、５０  アンテナ装置
６  裏蓋
１４  回路基板
１６  アンテナ収納部
１７  保持部材
１８  第１電極板
１９、４１、５１  第２電極板
２５  第１端子部
２８  第２端子部
３０  ストッパ部材
４２  アンテナ搭載部
４６  貫通孔
４７  スルーホール
【図１】
0004710687.tif 000002
【図２】
0004710687.tif 000003
【図３】
0004710687.tif 000004
【図４】
0004710687.tif 000005
【図５】
0004710687.tif 000006
【図６】
0004710687.tif 000007
【図７】
0004710687.tif 000008
【図８】
0004710687.tif 000009
【図９】
0004710687.tif 000010
【図１０】
0004710687.tif 000011
【図１１】
0004710687.tif 000012
【図１２】
0004710687.tif 000013
【図１３】
0004710687.tif 000014
【図１４】
0004710687.tif 000015
【図１５】
0004710687.tif 000016
【図１６】
0004710687.tif 000017
【図１７】
0004710687.tif 000018
【図１８】
0004710687.tif 000019
【図１９】
0004710687.tif 000020
【図２０】
0004710687.tif 000021
【図２１】
0004710687.tif 000022